(57)【要約】      （修正有）【課題】航空機の翼及びローターブレードなどに位置づけられる構造桁に関して、複雑でなく、場所を取らず、さらに重量を増やさずに形状を変える手段を提供する。【解決手段】構造桁４４を形成するために軸方向に位置合わせされた複数の隣接する構造ストリップ５２を備える。構造ストリップの少なくとも一つは、形状記憶合金から形成される。また、少なくとも一つの形状記憶合金ストリップの温度を制御するための発熱体５８を備える温度制御システムを備える。少なくとも一つの形状記憶合金ストリップに印加される熱は、構造桁を湾曲させる又は曲げる。【選択図】図４
2014015928.tif 000002
【特許請求の範囲】
【請求項１】
構造桁の形状を変えるためのシステムであって、
前記構造桁を形成するために軸方向に位置合わせされた複数の隣接する構造ストリップであって、少なくとも一つが形状記憶合金を含んでいる複数の隣接する構造ストリップ、及び
前記少なくとも一つの形状記憶合金ストリップの温度を制御するための温度制御システム
を備え、前記少なくとも一つの形状記憶合金ストリップに印加される熱は、前記構造桁を湾曲させる又は曲げる、システム。
【請求項２】
前記形状記憶合金ストリップは、ニッケル−チタンベース合金、ニッケル−チタン−プラチナベース合金、インジウム−チタンベース合金、ニッケル−アルミニウムベース合金、ニッケル−アルミニウム−プラチナベース合金、ニッケル−ガリウムベース合金、銅ベース合金、金カドミウムベース合金、鉄−プラチナベース合金、鉄−パラジウムベース合金、銀−カドミウムベース合金、インジウム−カドミウムベース合金、マンガン−銅ベース合金、ルテニウム−ニオブベース合金、及びルテニウム−タンタルベース合金のうちの少なくとも一つを含む、請求項１に記載のシステム。
【請求項３】
前記少なくとも一つの形状記憶合金ストリップは、剪断で所定の形状に整えられる、請求項１に記載のシステム。
【請求項４】
前記構造桁は、ローターブレード、航空機の翼又は尾部、並びに接地構造及び地上車両、水上水中構造体、及び車両を含む他の航空及び非航空構造体、コンポーネント及び構成要素に位置付けられる、請求項１に記載のシステム。
【請求項５】
前記温度制御システムは、前記少なくとも一つの形状記憶合金ストリップを加熱し、その後に前記少なくとも一つの形状記憶合金ストリップを冷却するように構成される、請求項１に記載のシステム。
【請求項６】
前記構造桁を形成するための複数の隣接する構造ストリップであって、少なくとも一つが形状記憶合金ストリップを含む複数の隣接する構造ストリップ、及び
前記少なくとも一つの形状記憶合金ストリップの温度を変化させるために、前記少なくとも一つの形状記憶合金ストリップに隣接して位置付けられる少なくとも一つの発熱体であって、前記少なくとも一つの形状記憶合金ストリップに印加される熱が、前記構造桁を湾曲させる又は曲げる、少なくとも一つの発熱体
を備える構造桁。
【請求項７】
前記形状記憶合金は、ニッケル−チタンベース合金、ニッケル−チタン−プラチナベース合金、インジウム−チタンベース合金、ニッケル−アルミニウムベース合金、ニッケル−アルミニウム−プラチナベース合金、ニッケル−ガリウムベース合金、銅ベース合金、金カドミウムベース合金、鉄−プラチナベース合金、鉄−パラジウムベース合金、銀−カドミウムベース合金、インジウム−カドミウムベース合金、マンガン−銅ベース合金、ルテニウム−ニオブベース合金、及びルテニウム−タンタルベース合金のうちの少なくとも一つを含む、請求項６に記載の構造桁。
【請求項８】
前記少なくとも一つの形状記憶合金ストリップは、剪断で所定の形状に整えられる、請求項６に記載の構造桁。
【請求項９】
前記構造桁は、ローターブレード、航空機の翼又は尾部、並びに接地構造及び地上車両、水上水中構造体、及び車両を含む他の航空及び非航空構造体、コンポーネント及び構成要素に位置付けられる、請求項６に記載の構造桁。
【請求項１０】
前記少なくとも一つの発熱体に結合された温度制御システムをさらに備える、請求項６に記載の構造桁。
【請求項１１】
前記少なくとも一つの形状記憶合金ストリップは、第一の温度未満ではマルテンサイト相であり、前記一つの形状記憶合金ストリップが前記第一の温度を上回る第二の温度にあるオーステナイト相では、前記少なくとも一つの記憶ストリップの前記オーステナイト相が、前記構造桁を湾曲させる又は曲げる、請求項６に記載の構造桁。
【請求項１２】
ローターブレードを湾曲させる方法であって、
構造桁を形成するために軸方向に位置合わせされた複数の隣接する構造ストリップから構造桁を形成することであって、ストリップの少なくとも一つは形状記憶合金ストリップを含む、形成すること、
少なくとも一つの形状記憶合金ストリップの温度を制御するために、温度制御システムを構造桁に装着すること、及び
構造桁を湾曲させてローターブレードを湾曲させるように少なくとも一つの形状記憶合金ストリップに熱を印加すること
を含む方法。
【請求項１３】
構造桁の湾曲しない形状に戻るために、少なくとも一つの形状記憶合金ストリップを冷却することをさらに含む、請求項１２に記載の方法。
【請求項１４】
温度制御システムを構造桁に前記装着することは、発熱体を前記少なくとも一つの形状記憶合金ストリップに装着することを含む、請求項１２に記載の方法。
【請求項１５】
前記少なくとも一つの形状記憶ストリップは、第一の温度未満ではマルテンサイト相であり、少なくとも一つの形状記憶合金ストリップが前記第一の温度を上回る第二の温度にあるオーステナイト相では、少なくとも一つの形状記憶合金ストリップのオーステナイト相は、前記構造桁を湾曲させる、請求項１２に記載の方法。
【発明の詳細な説明】
【技術分野】
【０００１】
本開示の分野は、概して航空機の翼及びローターブレードの桁に関し、より具体的には、形状記憶合金が有効な桁に関する。
【０００２】
形状記憶合金（ＳＭＡ）は、興味深い熱的特性及び機械的特性を有する金属群である。形状記憶合金は、いくつかの注目すべき温度依存性の相の一つに存在しうる。最も一般的に使用されるこれらの相は、いわゆるマルテンサイト相及びオーステナイト相である。変態温度を通過して形状記憶合金を加熱すると、形状記憶合金は、マルテンサイト相からオーステナイト相へと変化する。
【０００３】
たとえば、形状記憶合金材料ニチノールは、マルテンサイト状態（低降伏強度状態）の間に変形され、次いで、形状記憶合金材料がその元の（非変形）形状を取り戻すオーステナイト状態に到達するそれの転移温度まで加熱される。元の形状に戻る速度は、コンポーネントに印加される熱的エネルギーの量及び速度次第である。形状記憶合金材料は冷却されると、マルテンサイト状態及び形状に戻るだろう。
【発明の概要】
【発明が解決しようとする課題】
【０００４】
構造桁は、強度のため及び構造体の形状を促進するための非航空宇宙産業構造体だけではなく、航空機の翼、ローターブレードにも使用される。機械的及び／又は電気的作動システムは、桁を含む構造体の形状を変えるために時折使用される。しかしながら、これらの機械的及び／又は電気的作動システムは、複雑であり、場所を取り、さらに重量を増やす。これらの既知の有害な特性を有さない構造桁の形状を変える手段が必要とされる。
【課題を解決するための手段】
【０００５】
一つの態様では、構造桁の形状を変えるシステムが提供される。システムは、構造桁を形成するために軸方向に位置合わせされた複数の隣接する構造ストリップを備える。構造ストリップの少なくとも一つは、形状記憶合金から形成される。また、システムは、少なくとも一つの形状記憶合金ストリップの温度を制御するための温度制御システムを備える。少なくとも一つの形状記憶合金ストリップに印加される熱は、構造桁を湾曲させる又は曲げる。
【０００６】
別の態様では、構造桁が提供される。構造桁は、構造桁を形成するための複数の隣接する構造ストリップを含む。構造ストリップの少なくとも一つは、形状記憶合金ストリップとする。また、構造桁は、少なくとも一つの形状記憶合金ストリップの温度を変化させるために、少なくとも一つの形状記憶合金ストリップに隣接して位置付けられる少なくとも一つの発熱体を含む。少なくとも一つの形状記憶合金ストリップに印加される熱は、前記構造桁を湾曲させる又は曲げる。
【０００７】
別の態様では、ローターブレードを湾曲させる方法が提供される。方法は、ストリップのうちの少なくとも一つが形状記憶合金ストリップを含む状態で、構造桁を形成するために軸方向に位置合わせされた複数の隣接する構造ストリップから構造桁を形成することを含む。また、方法は、少なくとも一つの形状記憶合金ストリップの温度を制御するために、温度制御システムを構造桁に装着すること、及び構造桁を湾曲させてローターブレードを湾曲させるために、少なくとも一つの形状記憶合金ストリップに熱を印加することを含む。
【０００８】
構造桁の形状を変えるためのシステムは、前記構造桁を形成するために軸方向に位置合わせされた複数の隣接する構造ストリップであって、前記構造ストリップの少なくとも一つは形状記憶合金を含む、構造ストリップ；及び前記少なくとも一つの形状記憶合金ストリップの温度を制御するための温度制御システムを備え、；前記少なくとも一つの形状記憶合金ストリップに印加される熱は、前記構造桁を湾曲させる又は曲げる。前記形状記憶合金ストリップは、ニッケル−チタンベース合金、ニッケル−チタン−プラチナベース合金、インジウム−チタンベース合金、ニッケル−アルミニウムベース合金、ニッケル−アルミニウム−プラチナベース合金、ニッケル−ガリウムベース合金、銅ベース合金、金カドミウムベース合金、鉄−プラチナベース合金、鉄−パラジウムベース合金、銀−カドミウムベース合金、インジウム−カドミウムベース合金、マンガン−銅ベース合金、ルテニウム−ニオブベース合金、及びルテニウム−タンタルベース合金のうちの少なくとも一つを含む。少なくとも一つの形状記憶合金ストリップは、剪断で所定の形状に整えられる。構造桁は、ローターブレード、航空機の翼又は尾部、並びに接地構造及び地上車両、水上水中構造体、及び車両を含む他の航空及び非航空構造体、コンポーネント及び構成要素に位置付けられる。温度制御システムは、前記少なくとも一つの形状記憶合金ストリップを加熱してその後に前記少なくとも一つの形状記憶合金ストリップを冷却するように構成される。温度制御システムは、前記少なくとも一つの形状記憶合金ストリップに近接して位置付けられる発熱体を備える。少なくとも一つの形状記憶合金ストリップは、第一の温度未満ではマルテンサイト相であり、前記少なくとも一つの形状記憶合金ストリップが前記第一の温度を上回る第二の温度にあるオーステナイト相では、前記オーステナイト相の前記少なくとも一つの記憶ストリップが前記構造桁を湾曲させる又は曲げる。前記少なくとも一つの形状記憶ストリップが前記第一の温度に冷却され、少なくとも一つの形状記憶ストリップがオーステナイト相からマルテンサイト相に変わると、構造桁は湾曲しない形状に戻される。
【０００９】
構造桁は、前記構造桁を形成するための複数の隣接する構造ストリップであって、前記ストリップの少なくとも一つは形状記憶合金ストリップを含む、構造ストリップ；及び前記少なくとも一つの形状記憶合金ストリップの温度を変化させるために少なくとも一つの形状記憶合金に隣接して位置付けられる少なくとも一つの発熱体であって、前記少なくとも一つの形状記憶合金ストリップに印加される熱は、前記構造桁を湾曲させる又は曲げる、少なくとも一つの発熱体を備える。前記形状記憶合金は、ニッケル−チタンベース合金、ニッケル−チタン−プラチナベース合金、インジウム−チタンベース合金、ニッケル−アルミニウムベース合金、ニッケル−アルミニウム−プラチナベース合金、ニッケル−ガリウムベース合金、銅ベース合金、金−カドミウムベース合金、鉄−プラチナベース合金、鉄−パラジウムベース合金、銀−カドミウムベース合金、インジウム−カドミウムベース合金、マンガン−銅ベース合金、ルテニウム−ニオブベース合金、及びルテニウム−タンタルベース合金のうちの少なくとも一つを含む。少なくとも一つの形状記憶合金ストリップは、剪断で所定の形状に整えられる。前記構造桁は、ローターブレード、航空機の翼又は尾部、並びに接地構造及び地上車両、水上水中構造体、及び車両を含む他の航空及び非航空構造体、コンポーネント及び構成要素に位置付けられる。構造桁は、前記少なくとも一つの発熱体に結合された温度制御システムを備える。
【００１０】
温度制御システムは、前記少なくとも一つの発熱体の温度を変化させるように構成される。少なくとも一つの形状記憶合金ストリップは、第一の温度未満ではマルテンサイト相であり、前記第一の温度を上回る第二の温度であるときにはオーステナイト相とされる。オーステナイト相は、構造桁を湾曲させる又は曲げる。
【００１１】
本発明は、構造桁を形成するために軸方向に位置合わせされた複数の隣接する構造ストリップから構造桁を形成することであって、ストリップの少なくとも一つは形状記憶合金ストリップを含む、形成すること；少なくとも一つの形状記憶合金ストリップの温度を制御するために、温度制御システムを構造桁に装着すること；及び構造桁を湾曲させてローターブレードを湾曲するために少なくとも一つの形状記憶合金ストリップに熱を印加することを含む、ローターブレードを湾曲させる方法を含む。方法は、構造桁の非湾曲形状に戻るように、少なくとも一つの形状記憶合金ストリップを冷却することを含む。温度制御システムは、前記少なくとも一つの形状記憶合金ストリップへの発熱体とともに構造桁に装着される。形状記憶ストリップは、第一の温度未満ではマルテンサイト相であり、第一の温度を上回る第二の温度であるときにはオーステナイト相とされる。少なくとも一つの形状記憶合金ストリップのオーステナイト相は、前記構造桁を湾曲させる。前記形状記憶合金は、ニッケル−チタンベース合金、ニッケル−チタン−プラチナベース合金、インジウム−チタンベース合金、ニッケル−アルミニウムベース合金、ニッケル−アルミニウム−プラチナベース合金、ニッケル−ガリウムベース合金、銅ベース合金、金カドミウムベース合金、鉄−プラチナベース合金、鉄−パラジウムベース合金、銀−カドミウムベース合金、インジウム−カドミウムベース合金、マンガン−銅ベース合金、ルテニウム−ニオブベース合金、及びルテニウム−タンタルベース合金のうちの少なくとも一つを含む。
【００１２】
本発明の各構成要素は、桁の性能及び耐性を向上させるように設計される。上述の特徴、機能及び利点は、様々な実行形態において独立に実現することが可能であるか、さらに別の実行形態において組み合わせることが可能であり、これらの実行形態の詳細については、以下の説明及び添付図面を参照してさらに説明が加えられる。
【図面の簡単な説明】
【００１３】
【図１】航空機の斜視図である。
【図２】ヘリコプターの斜視図である。
【図３】図２に示されるヘリコプターブレードの斜視図である。
【図４】図３に示される桁の一部分の拡大斜視図である。
【図５】図４に示される桁の一部分の、湾曲状態にある拡大斜視図である。
【図６】ローターブレードを湾曲させる方法のブロックフロー図である。
【図７】二つの形状記憶合金ストリップを含む桁の一部分の拡大斜視図である。
【発明を実施するための形態】
【００１４】
航空機の翼及びローターのための形状記憶合金が有効な桁について、以下で詳細に述べられる。実施形態の航空機の構造桁の形状を変えるためのシステムは、構造桁を形成するために軸方向に位置合わせされた複数の隣接する構造ストリップを含む。構造ストリップの少なくとも一つは、形状記憶合金から形成される。形状記憶材料は、材料のマルテンサイト相からオーステナイト相への加熱及びオーステナイト相からマルテンサイト相へ戻る冷却の両方の形状転移により特徴づけられる。また、システムは、形状記憶合金ストリップの温度を制御するための温度制御システムを備える。形状記憶合金ストリップに印加される熱は、形状記憶合金ストリップが構造桁を湾曲させる所定の形状に整えられた／モーフィングされた構成（湾曲した構成）に変更されるオーステナイト相に移る。構造桁の湾曲は、たとえば、ヘリコプターブレードを湾曲させる。ローターブレードの湾曲は、空中停止と前進飛行との間の空力的最適化を提供し、揚力能力を向上させる。空中停止と前進飛行との間の空力的最適化は、たとえば、向上した安全運行領域の性能による燃料削減などの経費削減をもたらす。また、ブレード湾曲は、ブレード内の高調波制御技術の統合を可能にする。以下に記載される実施例のヘリコプターローターブレードは、航空機の翼及び航空宇宙応用及び非航空宇宙応用両方の他の構造体でも使用できることが理解されるべきである。
【００１５】
図面を参照すると、図１は、胴体１２、胴体１２に装着された翼１４及び１６、並びに翼１４及び１６にそれぞれ装着されたエンジン１８及び２０を備える実施例の航空機１０の斜視図である。翼１４及び１６は、上方翼外板２２、下方翼外板２４、翼付け根２６、翼端２８、並びに上方翼外板２２と下方翼外板２４との間の少なくとも一つの桁３０を有する。
【００１６】
図２は、胴体３６、尾部支材３８及び複数のローターブレード４０を備える実施例のヘリコプター３４の斜視図である。ローターブレード４０は、ハブ４２に結合される。ローターブレード４０は、付け根４６からローターブレード４０の翼端４８に延びる少なくとも一つの構造桁４４を含む。
【００１７】
図３は、構造桁４４を有するローターブレード４０の実施例を示す斜視図であり、図４は、構造桁４４の一部分の拡大斜視図である。ローターブレード４０は、ハブ４２（図２に示される）に結合される付け根４６及び翼端４８を含む。構造桁４４は、ブレード付け根４６とブレード翼端４８及び周囲の空気力学的な形状の構造外板５０との間を長手方向に延在する。構造桁４４の形状は略長方形であり、構造外板５０の形状は上反りになった翼である。また、構造外板５０の他の形状が使用されてもよい。
【００１８】
構造桁４４は、軸方向に位置合わせされた複数の構造ストリップ５２から形成される。少なくとも一又は複数の構造ストリップ５２は、形状記憶合金ストリップ５４を形成する形状記憶合金から作られる。形状記憶合金ストリップ５４の使用は、構造桁４４の形状を変えるために、桁の開渠剛性と閉渠剛性との差を活用する。形状記憶合金ストリップ５４は、構造桁４４の一又は複数の構造ストリップ５２に取って代わるために使用される。任意の適切な形状記憶合金は、たとえば、限定されないが、ニッケル−チタンベース合金、ニッケル−チタン−プラチナベース合金、インジウム−チタンベース合金、ニッケル−アルミニウムベース合金、ニッケル−アルミニウム−プラチナベース合金、ニッケル−ガリウムベース合金、銅ベース合金、金−カドミウムベース合金、鉄−プラチナベース合金、鉄−パラジウムベース合金、銀−カドミウムベース合金、インジウム−カドミウムベース合金、マンガン−銅ベース合金、ルテニウム−ニオブベース合金、ルテニウム−タンタルベース合金、チタンベース合金、鉄ベース合金などのうちの少なくとも一つとする。
【００１９】
二方向形状記憶材料は、マルテンサイト相からオーステナイト相への加熱及びオーステナイト相からマルテンサイト相へ戻る冷却の両方の形状転移により特徴づけられる。二方向形状記憶効果を表す形状記憶合金構造は、その「記憶された」低温度形状に戻る形状記憶合金構成要素から製造される。二方向形状記憶挙動は、処理を通して形状記憶材料を所定の形状に整えることにより与えられる。そのような処理は、オーステナイト相である間に、並びに制約、荷重及び／又は舷弧下における加熱−冷却の間に、材料の極度な変形を含むことができる。二方向の形状記憶効果を示すために材料が所定の形状に整えられると、低温状態と高温状態との間での形状変化は概して可逆的であり、非常に多数の熱サイクルを介して持続する。
【００２０】
形状記憶合金ストリップ５４は、所望のオーステナイト（たとえば、湾曲した又は曲がった）形状を変形させるために所定の形状に整えられる。一つの実施形態では、形状記憶合金ストリップ５４は、剪断で所定の形状に整えられる。形状記憶合金材料がマルテンサイト相に冷却されると、形状記憶合金ストリップ５４は、形状記憶合金ストリップ５４の非変形形状に戻る。
【００２１】
温度制御システム５６は、形状記憶合金ストリップ５４の温度を制御するために使用される。温度制御システム５６は、軟質フィルム上の又は固定モジュール内の抵抗素子である発熱体５８を含む。また、絶縁ニクロムリボンは、発熱体３２として使用するのに適している。ニクロムは、ニッケル、クロム、及びしばしば鉄の非磁性合金である。ニクロムは、発熱体として使用される抵抗線又はリボンである。ニクロムリボンは、ニュージャージー州モリソンタウンマディソンアヴェニュのＤｒｉｖｅｒ  Ｈａｒｒｉｓ  Ｃｏ．，から市販されている。発熱体５８は、形状記憶合金の加熱を促進し、マルテンサイト相から形状記憶合金ストリップ５４が湾曲し（又は曲がり）ブレード４０を湾曲させる（曲げる）オーステナイト相まで移るように、形状記憶合金ストリップ５４に隣接して位置付けられる。形状記憶合金ストリップ５４の温度が冷却すると、形状記憶合金材料はマルテンサイト相に戻り、そこで形状記憶合金ストリップ５４は非変形形状に戻り、ブレード４０を非湾曲（又は曲がっていない）形状に戻す。
【００２２】
図５は、湾曲状態の構造桁４４の一部分の拡大斜視図である。構造桁４４の非湾曲状態は、図４に示される。非湾曲状態から湾曲状態へ構造桁４４を動かすために、温度制御システム５６は、電源６０から、形状記憶合金ストリップ５４に装着された発熱体５８を介して電力が流れるようにする。発熱体５８を介して流れる電力は、順に形状記憶合金ストリップ５４の温度を上昇させる発熱体５８の温度を上昇させる。上昇温度により、形状記憶合金ストリップ５４の形状記憶合金はマルテンサイト相からオーステナイト相へ移る。先ほど説明したように、形状記憶合金ストリップ５４は、所望のオーステナイト（たとえば、湾曲した又は曲がった）形状に変形するために剪断で所定の形状に整えられる。形状記憶合金ストリップ５４をオーステナイト相に移すことにより、形状記憶合金ストリップ５４は湾曲し、これにより、構造桁４４が湾曲し、これによりローターブレード４０が湾曲する。形状記憶合金ストリップ５４の形状記憶合金をオーステナイト相からマルテンサイト相へ移すために、温度制御システム５６は、発熱体５８を介して流れる電力量を低下させ、形状記憶合金ストリップ５４の温度を低下させることができる。形状記憶合金ストリップ５４は、次いで、非湾曲状態に戻り、これにより、ローターブレード４０を非湾曲状態に戻す。一つの実施形態では、たわみ監視装置６２は、構造桁４４のたわみ量を監視するために使用される。たわみ監視装置６２は、温度制御システム５６に結合され、形状記憶合金ストリップ５４の温度を上昇又は低下させ、構造桁４４のたわみ量を増加又は減少させるために、信号を温度制御システム５６に送信する。
【００２３】
図６を参照すると、ローターブレードを湾曲する方法８０は、複数の構造桁からローターブレードの構造桁を形成するステップ８２を含み、構造ストリップの少なくとも一つは、形状記憶合金ストリップとする。上述された任意の適する形状記憶合金は、形状記憶合金ストリップを形成するために使用される。また、方法８０は、少なくとも一つの形状記憶合金ストリップの温度を制御するために、温度制御システムを構造桁に装着するステップ８４を含む。温度制御システムは、少なくとも一つの形状記憶合金ストリップに装着された少なくとも一つの発熱体を備える。さらに、方法８０は、構造桁を湾曲させてローターブレードを湾曲させるように、少なくとも一つの形状記憶合金ストリップに熱を印加するステップ８６を含む。形状記憶合金ストリップの加熱により、形状記憶合金がマルテンサイト相からオーステナイト相へ移り、これにより、形状記憶合金ストリップを湾曲させ（又は曲げ）、ローターブレードを湾曲させる（又は曲げる）。また、方法８０は、構造桁の非湾曲形状に戻り、ローターブレードの非湾曲形状にローターブレードを戻すように、少なくとも一つの形状記憶合金ストリップを冷却するステップ８８を含む。
【００２４】
熱の印加により桁を湾曲させるために桁に統合された形状記憶合金の能力を示すために、サンプルの有限要素解析が実行された。図７は、桁９０の対向する側面に位置付けられる二つの形状記憶合金ストリップ９２及び９４を含む有効な桁９０の一部分の拡大斜視図を示す。有効な桁９０の特性は、通常の温度並びに有効な桁９０を湾曲させる形状記憶合金ストリップ９２及び９４の上昇温度で測定された。点線９６及び９８は、基線から有効化された桁までの桁９０の移動を示す。点線９６は、通常温度での有効な桁９０の位置を示し、点線９８は、形状記憶合金ストリップ９２及び９４の上昇温度での有効な桁９０の位置を示す。有効な桁９０の回転角度Ａは、有効な桁９０の位置の変化（湾曲）中に点線９６と９８との間で示される。回転角度Ａは、形状記憶ストリップ９２及び９４の上昇した温度では約４度であった。実施例の有限要素解析において、各１２インチの有効な桁９０は、有効でない桁と比べると、２度湾曲し、重量が１．５ポンド増す。測定された特性は、以下の表１に示される。
2014015928.tif 000003
【００２５】
上述された形状記憶合金桁４４及び９０は、航空機の翼又は尾部、ローター、並びに接地構造及び地上車両、水上水中構造体、及び車両を含む他の航空及び非航空構造体、コンポーネント及び構成要素で使用される。桁４４及び９０の形状記憶合金材料の使用により、桁４４及び９０を湾曲すること、曲げること、及び他の構成が促進される。桁４４及び９０の構成を変えることにより、航空機の翼、ローター、及び／又は航空構造体の空力的最適化が促進される。空力的最適化は、たとえば、向上した安全運行領域性能による燃料削減などの経費削減をもたらす。
【００２６】
本明細書は、最良の実施形態を含む本発明を開示するために、また、任意のデバイスまたはシステムを作製および使用すること、並びに任意の組み込まれる方法を実行することを含め、当業者が記載される主題を実施できるように例を用いる。本開示の特許可能な範囲は特許請求の範囲によって定義されており、当業者であれば想起される他の実施例も含みうる。このような他の実施例は、それらが特許請求の範囲の文字言語から逸脱しない構造要素を有する場合、あるいは、それらが特許請求の範囲の文字言語との有意でない相違を有する同等の構造要素を含んでいる場合は、特許請求の範囲内にあることを意図している。
【符号の説明】
【００２７】
１０    航空機
１２    胴体
１４、１６    翼
１８、２０    エンジン
２２    上方翼外板
２４    下方翼外板
２６    翼付け根
３０    桁
３２    発熱体
３４    ヘリコプター
３６    胴体
３８    尾部支材
４０    ローターブレード
４２    ハブ
４４    構造桁
４６    付け根
４８    翼端
５０    構造外板
５２    構造ストリップ
５４    形状記憶合金ストリップ
５６    温度制御システム
５８    発熱体
６０    電源
６２    たわみ監視装置
９０    有効な桁
９２、９４    形状記憶合金ストリップ
【図１】
2014015928.tif 000004
【図２】
2014015928.tif 000005
【図３】
2014015928.tif 000006
【図４】
2014015928.tif 000007
【図５】
2014015928.tif 000008
【図６】
2014015928.tif 000009
【図７】
2014015928.tif 000010
【外国語明細書】
2014015928000001.pdf
2014015928000002.pdf
2014015928000003.pdf
2014015928000004.pdf